(57)【要約】      （修正有）【課題】複数個の転造用ローラーダイスのブランクへの食い込み時にブランクの直角度を積極的に保てる転造装置を提供する。【解決手段】ブランクＢの外周面に３個のローラーダイス４ａ, ４ｂ, ４ｃにより圧力を加え、ブランクＢ外周にねじ山を形成する転造装置において、各ローラーダイス４ａ，４ｂ，４ｃ間にダイスと平行に設定されて直角度を保った状態でブランクＢを保持するブランク保持治具１０ａ，１０ｂ，１０ｃをそれぞれ設けて、各ブランク保持治具１０ａ，１０ｂ，１０ｃで直角度を保った状態でブランクＢを保持する。【選択図】図３
0003147483.tif 000002
【実用新案登録請求の範囲】
【請求項１】
ブランクの外周面に等間隔おいて配置される複数個のローラーダイスと、これらローラーダイスの配列中心部においてブランクを支持する押出ロッドを備え、ブランクの外周面にローラーダイスにより圧力を加え、ブランク外周にねじ山を形成する転造装置において、各ローラーダイス間にダイスと平行に設定されて直角度を保った状態でブランクを保持するブランク保持治具をそれぞれ備えていることを特徴とする転造装置。
【請求項２】
各ブランク保持治具は、ガイドプレートに各ローラーダイスの配列中心部から放射状に延びる方向に摺動自由に支持されると共に、ガイドプレートに設けられる支持部と各ブランク保持治具との間に押しばねがそれぞれ介装され、常時は押しばねにより各ブランク保持治具は上記各ダイスの配列中心部に向かうように付勢されている一方、ガイドプレート側に、転造時各ブランク保持治具の放射方向外方への動きを検出してねじ山成形を確認するセンサーを設けて、所定のねじ山成形を確認後、押出ロッドによりブランクを各ローラーダイスから外方に押し出すように構成されていることを特徴とする請求項１記載の転造装置。
【考案の詳細な説明】
【技術分野】
【０００１】  本考案は、ブランクの外周面に等間隔おいて配置される複数個のローラーダイスと、これらローラーダイスの配列中心部においてブランクを支持する押出ロッドを備え、ブランクの外周面にローラーダイスにより圧力を加え、ブランク外周にねじ山を形成する転造装置に関するものである。
【背景技術】
【０００２】  従来、この種の転造装置は、例えばブランクの外周面に等間隔おいて配置される３個のローラーダイスと、これらローラーダイスの配列中心部においてブランクを所定位置に支持する支持台を兼ねる押出ロッドを備え、押出ロッドの先端面にブランクを載置した状態で、各ローラーダイスを回転させながら各ダイスを同時にその配列中心部に向かって移動させ、ブランクの外周面に各ローラーダイスを同時に圧接させることによりブランクの外周にねじ山を成形するようになされている。
【考案の開示】
【考案が解決しようとする課題】
【０００３】  ところが、上記した従来の転造装置によれば、単に押出ロッドの先端面にブランクを載置しただけ状態で、各ローラーダイスを回転させながら各ダイスを同時にその配列中心部に向かって移動させ、ブランクの外周面に各ローラーダイスを圧接させることによりブランクの外周にねじ山を成形する構成であるため、各ローラーダイスのブランクへの食い込み時にブランクの直角度を保てずブランクが傾いてしまい、そのため、ブランクの外周面に正確なねじを成形することができないといった問題を有していた。【０００４】  そこで、本考案は、各ローラーダイスのブランクへの食い込み時にブランクの直角度を積極的に保てるようにして、ブランクの外周面へのねじ成形を正確に行うことのできる転造装置の提供を課題とする。
【課題を解決するための手段】
【０００５】  上記問題を解決するため本願の請求項１記載の考案は、ブランクの外周面に等間隔おいて配置される複数個のローラーダイスと、これらローラーダイスの配列中心部においてブランクを支持する押出ロッドを備え、ブランクの外周面にローラーダイスにより圧力を加え、ブランク外周にねじ山を形成する転造装置において、各ローラーダイス間にダイスと平行に設定されて直角度を保った状態でブランクを保持するブランク保持治具をそれぞれ備えていることを特徴とする。【０００６】  また、本願の請求項２記載の考案は、上記した請求項１の構成における各ブランク保持治具が、ガイドプレートに各ローラーダイスの配列中心部から放射状に延びる方向に摺動自由に支持されると共に、ガイドプレートに設けられる支持部と各ブランク保持治具との間に押しばねがそれぞれ介装され、常時は押しばねにより各ブランク保持治具が上記各ダイスの配列中心部に向かうように付勢されている一方、ガイドプレート側に、転造時各ブランク保持治具の放射方向外方への動きを検出してねじ山成形を確認するセンサーを設けて、所定のねじ山成形を確認後、押出ロッドによりブランクを各ローラーダイスから外方に押し出すように構成されていることを特徴とする。
【考案の効果】
【０００７】  本考案によれば、各ローラーダイス間に配置され、各ダイスと平行に設定された複数個のブランク保持治具の配列中心部にブランクを挿入することにより、これらのブランク保持治具でブランクを各ローラーダイスに対し直角度を保った状態で保持することができる。その結果、複数個のローラーダイスのブランク外周への食い込みによるねじ成形時にブランクが傾くといったことがなくなり、高精度にねじ山を成形することができる。【０００８】  また、各ブランク保持治具を、ガイドプレートに各ローラーダイスの配列中心部から放射状に延びる方向に摺動自由に支持すると共に、ガイドプレートに設けられる支持部と各ブランク保持治具との間に押しばねをそれぞれ介装し、常時は押しばねにより各ブランク保持治具を上記各ダイスの配列中心部に向かうように付勢する一方、ガイドプレート側に、転造時各ブランク保持治具の上記放射方向外方への動きを検出してねじ山成形を確認するセンサーを設けて、所定のねじ山成形を確認したとき、センサーからの検出信号により、押出ロッドによりブランクを各ローラーダイスから外方に押し出すように構成すれば、ブランクを各ブランク保持治具に挿入して保持するとき、各ブランク保持治具を押しばねに抗してやや押し広げてその保持部分に密着させながら保持できるので、ブランクの直角度を正確に保った状態でしっかりと保持できる。また、転造が開始されるとブランク外周へのねじ山の成形につれてねじ山が外方に突出するので、各ブランク保持治具は押しばねに抗して放射方向外方へ押し広げられることになる。斯かる各ブランク保持治具の放射方向外方へ移動を各センサーで検出することによりねじ山成形の終了を確認することができる。その結果、各センサーがこれを確認したとき、押出ロッドを前進移動させてブランクを各ローラーダイスの外方に押し出して排出することができる。
【考案を実施するための最良の形態】
【０００９】  以下、本考案の実施の形態を図に基づいて説明する。【００１０】  図１〜図３は、本考案の転造装置の要部の平面図及び同縦断面図を示し、この転造装置１を構成するガイドプレート２の中心部位には、ブランクＢを支持する押出ロッド３が設けられ、押出ロッド３はシリンダー等の押出機構（図示せず）による出退動作に連動して進退動（図では上下動）するようになっている。押出ロッド３の周りには、３個のローラーダイス４ａ，４ｂ，４ｃが押出ロッド３の中心を基準として１２０°の等間隔おいて配置されている。【００１１】  ローラーダイス４ａ，４ｂ，４ｃは、それぞれ下方から延びるダイス軸５ａ，５ｂ，５ｃの上端に一体回転可能に支持されている。ダイス支持軸５ａ，５ｂ，５ｃの下端には、図示していないが、適宜ジョイント軸を介してそれぞれ動力伝達ギヤ軸に連結され、各動力伝達ギア軸は共通のピニオンギヤに噛合し、ピニオンギヤは駆動モータに連動連結されている。駆動モータが駆動することにより、ピニオンギヤ、各動力伝達ギア軸、ジョイント軸を介してダイス軸５ａ，５ｂ，５ｃが同時に回転するようになっている。【００１２】  また、各ダイス軸５ａ，５ｂ，５ｃには、それぞれ軸受（図示せず）を介して水平方向に延びるアーム７ａ，７ｂ，７ｃが連結されている。各アーム７ａ，７ｂ，７ｃは押出ロッド３の中心から放射状に延びる方向（図では水平方向）に摺動可能に支持され、かつ、図示しない適宜移動手段により、各アーム７ａ，７ｂ，７ｃつまり各ローラーダイス４ａ，４ｂ，４ｃを同じタイミングで押出ロッド３の中心側に出退移動可能に設けられている。つまり、ローラーダイス４ａ，４ｂ，４ｃを回転させた状態で各アーム７ａ，７ｂ，７ｃを押出ロッド３の中心に向かって前進移動させ、ブランクＢの外周面に各ローラーダイス４ａ，４ｂ，４ｃを同時に圧接させることにより円筒状ブランクＢの外周にねじ山ｂを転造により成形して、図４に示すような外周にねじ山ｂを有する環状成形品Ｓを製造するようになっている。ねじ山ｂの成形後は、図１に示すように各アーム７ａ，７ｂ，７ｃを元の位置（放射方向外方の待機位置）に後退移動させるように構成されている。【００１３】  そして、各ローラーダイス４ａ，４ｂ，４ｃ間には、これらダイス４ａ，４ｂ，４ｃと平行に設定されて直角度を保った状態でブランクＢを保持する段付保持部１１ａ，１１ｂ，１１ｃを有するブランク保持治具１０ａ，１０ｂ，１０ｃをそれぞれ配置している。各ブランク保持治具１０ａ，１０ｂ，１０ｃは、ガイドプレート２に各ローラーダイス４ａ，４ｂ，４ｃの中間位置でその配列中心部から放射状に延びる方向に摺動自由に支持されると共に、各ブランク保持治具１０ａ，１０ｂ，１０ｃはガイドプレート２に立設された３個の支持体１２ａ，１１ｂ，１１ｃに押しばね１３ａ，１３ｂ，１３ｃを介して支持されている。これにより各ブランク保持治具１０ａ，１０ｂ，１０ｃは押しばね１３ａ，１３ｂ，１３ｃにより常時は上記各ダイス４ａ，４ｂ，４ｃの配列中心部に向かうように付勢されている。【００１４】  また、支持体１２ａ，１２ｂ，１２ｃには、転造時における各ブランク保持治具１０ａ，１０ｂ，１０ｃの放射方向外方への動きを検���してねじ山成形を確認するセンサー１４ａ，１４ｂ，１４ｃが設けられている。センサー１４ａ，１４ｂ，１４ｃが所定のねじ山ｂの成形を確認した後、押出ロッド３を前進（図では上動）させて環状成形品Ｓを各ローラーダイス４ａ，４ｂ，４ｃの外方に押し出すように構成されている。【００１５】  また、図２中、符号１５はブランクＢを各ブランク保持治具１０ａ，１０ｂ，１０ｃの段付保持部１１ａ，１１ｂ，１１ｃに挿入すると共に転造時におけるブランクＢの浮き上がりを防止する押さえ棒で、押さえ棒１５はシリンダー等の適宜移動機構（図示せず）により進退動（図では上下動）するようになっている。【００１６】  次に上記のように構成された転造装置の作用について説明する。【００１７】  まず、各ローラーダイス４ａ，４ｂ，４ｃを図１に示す待機位置に位置させた状態に保持し、この状態のもとで筒状のブランクＢを押さえ棒１５により各ブランク保持治具１０ａ，１０ｂ，１０ｃの段付保持部１１ａ，１１ｂ，１１ｃに挿入する。このときブランクＢにより各ブランク保持治具１０ａ，１０ｂ，１０ｃを押しばね１２ａ，１２ｂ，１２ｃに抗してやや押し広げながら、さらにブランクＢを各ブランク保持治具１０ａ，１０ｂ，１０ｃの段付保持部１１ａ，１１ｂ，１１ｃに当接するまで押し込む。これにより、図２及び図３に示すように各ブランク保持治具１０ａ，１０ｂ，１０ｃでガイドプレート２に対する直角度を保った状態でブランクＢを保持することができる。【００１８】  次に、ローラーダイス４ａ，４ｂ，４ｃを回転させた状態で各アーム７ａ，７ｂ，７ｃを押出ロッド３の中心に向かって前進移動させ、ブランクＢの外周面に各ローラーダイス４ａ，４ｂ，４ｃを同時に圧接させる。これによりブランクＢの外周にねじ山ｂを転造により成形して、図４に示すねじ山ｂを有する環状成形品Ｓを製造する。このとき、ブランクＢは各ブランク保持治具１０ａ，１０ｂ，１０ｃで直角度を保った状態で保持されているので、ローラーダイス４ａ，４ｂ，４ｃのブランクＢ外周への食い込み時に傾くことがなくなり、高精度にねじ山ｂを成形することができる。ねじ山ｂの成形後は、各アーム７ａ，７ｂ，７ｃを図１に示す元の位置（放射方向外方の待機位置）に後退移動させる。【００１９】  また、ローラーダイス４ａ，４ｂ，４ｃによる転造が開始されるとブランクＢへのねじ山ｂの成形につれて、ねじ山ｂがブランクＢの外周面から外方に突出するので、各ブランク保持治具１０ａ，１０ｂ，１０ｃは押しばね１３ａ，１３ｂ，１３ｃに抗して放射方向外方へ押し広げられることになる。このとき、各ブランク保持治具１０ａ，１０ｂ，１０ｃの放射方向外方へ移動をセンサー１３ａ，１３ｂ，１３ｃが検出し、所定の外方位置まで移動したとき、ねじ山ｂの成形の終了を確認する。センサー１３ａ，１３ｂ，１３ｃがこれを確認した後、押さえ棒１５を上方に退避移動させると共に、押出ロッド３を前進移動（上動）させてねじ山ｂが成形された環状成形品Ｓを各ローラーダイス４ａ，４ｂ，４ｃから押し出して外部に排出する。【００２０】  なお、センサー１３ａ，１３ｂ，１３ｃとしては、移動を確認できるものであればよいのであって接触センサーや光センサーなど適宜���ンサーを用いればよい。また、ローラーダイス及びブランク保持治具の個数は３個に限定されるものではなく、例えば２個ずつ或いは３個以上であってもよい。さらに、環状成形品Ｓとしては、実施の形態のように外周全面にわたってねじ山ｂを設けるようにしたけれども、何ら限定されるものではなく、例えばブランクＢの上部又は下部或いは中間部にねじ山ｂを設けるようにしてもよいこと勿論である。
【図面の簡単な説明】
【００２１】
【図１】  本考案に係る転造装置の要部の平面図である。
【図２】  図１のＡ−Ａ矢視図である。
【図３】  同転造装置の転造時における要部の平面図である。
【図４】  同転造装置で成形した環状成形品の一部切り欠き正面図である。
【符号の説明】
【００２２】１              転造装置
２              ガイドプレート
３              押出ロッド
４ａ            ローラーダイス
４ｂ            ローラーダイス
４ｃ            ローラーダイス
１０ａ          ブランク保持治具
１０ｂ          ブランク保持治具
１０ｃ          ブランク保持治具
１２ａ          支持部
１２ｂ          支持部
１２ｃ          支持部
１３ａ          押しばね
１３ｂ          押しばね
１３ｃ          押しばね
１４ａ          センサー
１４ｂ          センサー
１４ｃ          センサー
Ｂ              ブランク
ｂ              ねじ山
Ｓ              環状成形品
【図１】
0003147483.tif 000003
【図２】
0003147483.tif 000004
【図３】
0003147483.tif 000005
【図４】
0003147483.tif 000006